【手続補正書】
【提出日】平成28年6月18日(2016.6.18)
【手続補正１】
【補正対象書類名】特許請求の範囲
【補正対象項目名】全文
【補正方法】変更
【補正の内容】
【特許請求の範囲】
【請求項１】
陸上に設けた水槽の中で、養殖穴の中に稚貝を入れる従来方法ではなく、ヒメジャコの貝が露出した状態で養殖し、成長後に貝や中身を傷付けずに無傷の状態で収穫し商品化することを特徴とするヒメジャコの陸上養殖方法。
【請求項２】
養殖穴の中に稚貝を入れずにヒメジャコの貝が露出した状態で陸上で養殖し、中身が貝に入ったまま、貝や中身を傷付けずに無傷の状態で水槽から取り出して商品化したこことを特徴とするヒメジャコ。
【請求項３】
陸上に設けた水槽の底に珊瑚質その他の小石及び／又は砂であって、ヒメジャコが養殖穴の拘束を受けないように、稚貝の入る養殖穴を形成してないものを設け、前記小石及び／又は砂が水没するように海水を供給し、ヒメジャコの外敵は水槽内に入れずに、前記小石及び／又は砂にヒメジャコが支持され、養殖穴が無いため貝の外側まで受光して光変色したヒメジャコであって、成長時の貝の中に入ったままの状態で前記水槽から取り出して商品としたことを特徴とする陸上養殖光変色ヒメジャコ。
【請求項４】
陸上に設けた水槽を合成樹脂製とするか及び／又は内面に合成樹脂の塗料を塗布するか及び／又はフィルムやシートで覆って非透水性とすると共に海水を供給し、ヒメジャコが養殖穴の拘束を受けないように、稚貝の入る養殖穴を形成せずにヒメジャコが自由に貝を開放可能とし、ヒメジャコの外敵は水槽内に入れずに、かつ水槽に直接にヒメジャコが支持され、養殖穴が無いため貝の外側まで受光して光変色したヒメジャコであって、成長時の貝の中に入ったままの状態で前記水槽から取り出して商品としたことを特徴とする陸上養殖光変色ヒメジャコ。
【手続補正２】
【補正対象書類名】明細書
【補正対象項目名】全文
【補正方法】変更
【補正の内容】
【発明の詳細な説明】
【発明の名称】ヒメジャコの陸上効率養殖方法
【技術分野】
【０００１】
本発明は、ヒメジャコを陸上の水槽で効率的に養殖し成長させる方法に関する。
【背景技術】
【０００２】
特許文献１のように、稚貝植付穴に稚貝を植えつけた養殖盤に、新鮮な海水が供給された陸上水槽を設置することで、稚貝を成長させることが提案されている。しかし、この稚貝が成長して収穫する際には、成長した貝の周りをタガネなどの道具で掘って貝を穴から出す必要があり、しかも貝の中身が傷ついて死んでしまい、市場価値が格段と低下する。また、ヒメジャコの生態として、狭い養殖穴の中で貝を開閉するので、効率的に自由に貝を開いて太陽光を効果的に受光し成長することが困難となる。
【先行技術文献】
【特許文献】
【０００３】
【特許文献１】特開平10−117628号
【発明の概要】
【発明が解決しようとする課題】
【０００４】
このように陸上で養殖する場合であっても、成長した貝の周りをタガネなどで掘って貝を穴から出す必要があるので、貝の中身が傷ついて死んでしまい、市場価値が格段と低下するという欠点がある。なお、シャコガイには、ヒメジャコのほかにヒレジャコ、シラナミ、ヒレナシジャコ、シャゴウ、トガリシラナミの６種類が居るが、ヒメジャコの方が美味しいし市場価値も高いので、盛んに養殖が試行されている。しかし、岩場に体液で穴を掘って生息するので養殖が困難とされている。
ところが、発明者の発見によると、陸上で養殖する場合は、養殖穴の拘束を受けないように、初めから養殖穴無しの水槽で養殖する方が、太陽光を効率的に受光して短期に成長でき、有利であると判断した。
本発明の技術的課題は、このような問題に着目し、養殖穴を形成する必要が無く、自由に貝を開放して太陽光を受光でき、成長したヒメジャコの収穫も極めて簡単となり、中身が傷むことも無い陸上効率養殖方法を実現する。
【課題を解決するための手段】
【０００５】
本発明の技術的課題は次のような手段によって解決される。請求項１は、陸上に設けた水槽の中で、養殖穴の中に稚貝を入れる従来方法ではなく、ヒメジャコの貝が露出した状態で養殖し、成長後に貝や中身を傷付けずに無傷の状態で収穫し商品化することを特徴とするヒメジャコの陸上養殖方法である。
【０００６】
請求項２は、養殖穴の中に稚貝を入れずにヒメジャコの貝が露出した状態で陸上で養殖し、中身が貝に入ったまま、貝や中身を傷付けずに無傷の状態で水槽から取り出して商品化したこことを特徴とするヒメジャコである。
【０００７】
請求項３は、陸上に設けた水槽の底に珊瑚質その他の小石及び／又は砂であって、ヒメジャコが養殖穴の拘束を受けないように、稚貝の入る養殖穴を形成してないものを設け、前記小石及び／又は砂が水没するように海水を供給し、ヒメジャコの外敵は水槽内に入れずに、前記小石及び／又は砂にヒメジャコが支持され、養殖穴が無いため貝の外側まで受光して光変色したヒメジャコであって、成長時の貝の中に入ったままの状態で前記水槽から取り出して商品としたことを特徴とする陸上養殖光変色ヒメジャコである。
【０００８】
請求項４は、陸上に設けた水槽を合成樹脂製とするか及び／又は内面に合成樹脂の塗料を塗布するか及び／又はフィルムやシートで覆って非透水性とすると共に海水を供給し、ヒメジャコが養殖穴の拘束を受けないように、稚貝の入る養殖穴を形成せずにヒメジャコが自由に貝を開放可能とし、ヒメジャコの外敵は水槽内に入れずに、かつ水槽に直接にヒメジャコが支持され、養殖穴が無いため貝の外側まで受光して光変色したヒメジャコであって、成長時の貝の中に入ったままの状態で前記水槽から取り出して商品としたことを特徴とする陸上養殖光変色ヒメジャコである。
【発明の効果】
【０００９】
請求項１のように、陸上に設けた水槽の中で、養殖穴の中に稚貝を入れずにヒメジャコの貝が露出した状態で養殖し、成長後に貝や中身を傷付けずに無傷の状態で収穫し商品化するメジャコの陸上養殖方法であるので、植付穴を形成する必要も無いので、養殖施設の構成は簡単安価となる。しかも収穫に際して、成長した貝の周りをタガネなどで掘る必要も無く、しかも貝の中身が傷ついて傷んだりすることもない。特に、ヒメジャコは狭い養殖穴の中で生息するのではないので、外敵を恐れる必要も無くストレスが溜まらないばかりか、貝を十分に開いたままとし、太陽光を存分に取り入れ、光エネルギーを有効利用して成長を促進できる。
【００１０】
請求項２のように、養殖穴の中に稚貝を入れる従来方法ではなく、ヒメジャコの貝が露出した状態で養殖し、中身が貝に入ったまま、貝や中身を無傷の状態で水槽から取り出して商品化するので、稚貝の植付け穴を形成する必要はなく、養殖施設の構成が簡単で安価となる。しかも収穫に際して、成長した貝の周りをタガネなどで掘る必要も無く、貝の中身が傷ついて傷んだりすることもない。特に、ヒメジャコは養殖穴の拘束を受けずに貝を十分に開いたままとし、太陽光を存分に取り入れ、光エネルギーを効率的に利用して成長でき、ストレスも溜まらない。
【００１１】
請求項３のように、陸上に設けた水槽の底に珊瑚質その他の小石及び／又は砂であって、ヒメジャコが養殖穴の拘束を受けないように、稚貝の入る養殖穴を形成してないものを設け、前記小石及び／又は砂が水没するように海水を供給し、ヒメジャコの外敵は水槽内に入れずに、前記小石及び／又は砂にヒメジャコが支持され、養殖穴が無いため貝の外側まで受光して光変色したヒメジャコであって、成長時の貝の中に入ったままの状態で前記水槽から取り出して商品としたので、明細書の段落[0015]の末尾に記載のように、本発明の陸上養殖方法によると、稚貝を入れる穴を形成する必要が無いだけでなく、収穫も簡単でヒメジャコの市場価値も低下しない。加えて、ヒメジャコは、養殖穴の拘束を受けるようなことは無く、貝を十分に開いたままで生息でき、太陽光を十分に取り入れて光エネルギーを利用でき、効率的に成長する。また、段落[0015]の中程に記載のように、本発明の場合は、ヒメジャコ６が穴に隠れることは無く、小石５及び／又は砂に吸着しているだけであるから、吸着した小石及び／又は砂も一緒に収穫し出荷できる。
【００１２】
請求項４のように、陸上に設けた水槽を合成樹脂製とするか及び／又は内面に合成樹脂の塗料を塗布するか及び／又はフィルムやシートで覆って非透水性とすると共に海水を供給し、ヒメジャコが養殖穴の拘束を受けないように、稚貝の入る養殖穴を形成せずにヒメジャコが自由に貝を開放可能とし、ヒメジャコの外敵は水槽内に入れずに、かつ水槽に直接にヒメジャコが支持され、養殖穴が無いため貝の外側まで受光して光変色したヒメジャコであって、成長時の貝の中に入ったままの状態で前記水槽から取り出して商品としたので、明細書の段落[0015]の末尾に記載のように、本発明の陸上養殖方法によると、稚貝を入れる穴を形成する必要が無いだけでなく、収穫も簡単でヒメジャコの市場価値も低下しない。加えて、ヒメジャコは、養殖穴の拘束を受けるようなことは無く、貝を十分に開いたままで生息でき、太陽光を十分に取り入れて光エネルギーを利用でき、効率的に成長する。
【図面の簡単な説明】
【００１３】
【図１】本発明により陸上に設けるヒメジャコ養殖用の水槽の斜視図である。
【図２】前記水槽の縦断面図である。
【図３】前記水槽の別の実施形態を示す縦断面図である。
【図４】ヒメジャコの収穫方法であり、(1) は従来方法、(2) は本発明の方法である。
【発明を実施するための形態】
【００１４】
次に本発明によるヒメジャコの陸上養殖方法が実際上どのように具体化されるか実施形態で説明する。図１は、陸上に設ける養殖用の水槽であり、長方形の水槽１、２が形成されている。図の右側の水槽１は、陸上においてコンクリートブロック３…で容器状に形成してある。底部は見えないが、コンクリートブロックを敷きつめて底面を形成してある。しかも、水が透過しないように、非透水性の塗料を内面に塗布したりして、海水が漏れないようにしてある。
【００１５】
左側の水槽２は、ベニア板４で容器状に形成し、水が透過しないように、非透水性の塗料を内面に塗布したりして、海水が漏れないようにしてある。水槽１、２の内面は、非透水性の塗料の塗布に代えて又は非透水性の塗料の塗布と共に、非透水性のフィルムやシートで覆って水漏れ防止を確実にすることもできる。なお、ＦＲＰなどのような強度もあり、非透水性の合成樹脂で水槽１、２を形成し、その底又は非透水性のフィルムやシートにヒメジャコが吸着支持される方法でもよい。
【００１６】
このように、海水が漏れないように水密機能を確保した上で、図２のように、水槽１、２の底に、珊瑚質その他の小石（砂利やバラスなども含まれる）５…及び／又は砂を３〜１５ｃｍ好ましくは５〜１０ｃｍ程度敷きつめ、前記小石５…及び／又は砂が水没するように海水Ｗを供給する。海水Ｗは、常時新鮮な海水が海からポンプアップし給水されるように、パイプＰを設けてある。なお、ヒメジャコ６…の養殖で汚れた槽水は、水槽１、２の外に排水される。小石５…及び／又は砂の層は、下２ｃｍ程度は汚れで臭くなり、砂を用いても１年もすると汚れることもある。
【００１７】
従って、図３のように、水槽の底に強度のある網７を敷いてその上に小石５…及び／又は砂を敷き詰め、網７の下側は漏斗状の汚水集め８を形成し、汚水を回収して常時排水する構造にすると、水槽１、２の中を清掃する負担が軽減される。
以上の構成の養殖施設を陸上に設け、ヒメジャコ６の稚貝が前記小石５及び／又は砂に支持されるようにして養殖する。この際、常時新鮮な海水を海からポンプアップして水槽１、２に給水し、ヒメジャコ６で汚染されたら、網７の下に沈降させて水槽外に排水する。当然ではあるが、ヒメジャコの外敵となる動物は水槽１、２に入れない。従って、ヒメジャコは、養殖穴の拘束も受けずに貝を十分に開いたままで生息でき、太陽光を十分に取り入れて光エネルギーを利用し、円滑に効率的に成長できる。
【００１８】
ヒメジャコ６は、珊瑚の死骸や他の小石５及び／又は砂に付着し支持されるが、ヒメジャコ６の嫌う灰汁などを出さない限り、ＦＲＰなどの合成樹脂類にも吸着する。従って、水槽の底面又は底面付近は、小石５及び／又は砂を数ｃｍの層状に敷きつめる代わりに、ヒメジャコが嫌う材質でない限り、合成樹脂の部材に直接に吸着支持させることも可能である。あるいは、水槽の内面に非透水性の塗料を塗布したり、フィルムやシートで覆って非透水性の水槽にしてもよい。なお、パイプＰとは反対側において、水槽１、２の側壁を低くしたり穴を開けて、水槽内の汚水がオーバーフローする構造も可能である。
【００１９】
次に、成長したヒメジャコの収穫方法を説明する。海底のヒメジャコ９は、体液を分泌して、海底の岩に穴を掘り、図４(1) のように隠れるという習性がある。発明者の実験の結果、この習性は、外敵から身を守るためのようである。
従って、成長したヒメジャコ９を収穫する際は、タガネｉなどで周囲の岩10を削って貝９を取り出す必要があるが、この際に身を傷めてしまい、市場価値も低下する。
ところが、本発明の場合は、ヒメジャコ６が穴に隠れることは無く、小石５及び／又は砂に吸着しているだけであるから、吸着した小石及び／又は砂も一緒に収穫し出荷できる。小石及び／又は砂などが無く、水槽の底やシートなどに吸着している場合は、(2) のようにヘラ11などを用いて、剥離させて出荷する。
そのため、本発明の陸上養殖方法によると、稚貝を入れる穴を形成する必要が無いだけでなく、収穫も簡単でヒメジャコの市場価値も低下しない。
加えて、ヒメジャコは、養殖穴の拘束を受けるようなことは無く、貝を十分に開いたままで生息でき、太陽光を十分に取り入れて光エネルギーを利用でき、効率的に成長する。
【００２０】
最後にヒメジャコの習性の研究成果を説明する。本発明の発明者は、特殊事情により、急にヒメジャコの稚貝を大量に入手したので、穴を開ける時間もなく、止むを得ず小石を集めて水槽の底に敷いて養殖してみた。また、小石の量も十分でなく、小石無しで養殖した例もある。
このように準備不足で始めたので、全く期待はしてなかったが、稚貝の植付け穴は全く開けなくても、ヒメジャコは順調に成長した。そこで疑問に思っていろいろと研究したところ、身を守るための外敵防止用の穴だろうと結論付けた。
上記のような準備不足の経験がかえって奏効し、ヒメジャコが穴を掘る目的を正しく理解できたのは発明者だけであり、その証拠に、引用文献１のような陸上養殖であっても養殖穴が不可欠だと鵜呑みしていた。また、海底を模した状態でヒメジャコを支持させるように、水槽の底部に小石を敷設しただけでは、外敵に捕食される危険があり、不充分である。従って、当然ではあるが、和食店の水槽などでは、ヒメジャコにとって外敵となる魚介類は一緒に入れないことが前提になる。
【００２１】
ところで、本発明のように小石及び／又は砂を敷くのは、小石及び／又は砂を敷設して海底を模した状態でシャコ貝を支持させるようにした構成であり、容易に発明できると思われそうだ。しかし、海底で小石及び／又は砂を敷いても、ヒメジャコの外敵は防げないので、ヒメジャコは寄り付かないでしょう。ヒメジャコの習性上、外敵に襲われないようにする隠れ家用の穴を掘れる岩場が必要となるのである。
本発明は、この習性に反して、岩の無い、小石及び／又は砂を敷いただけの水槽の中でヒメジャコを成長させたのである。その秘訣は、前記のように、ヒメジャコの外敵さえ防止できれば（水槽に外敵さえ入れなければ）、穴は不必要であり、小石及び／又は砂でも支障は無いし、極端に言えば小石及び／又は砂さえも要らないのである。
このように、外敵が居ないと分かれば養殖穴は不要であり、しかも常時貝を開いたままにできるので、外敵によるストレスは受けないし、太陽光を常に受けてヒメジャコ自身も共生藻も効率的に成長し、短期に高品質のヒメジャコを養殖できる。
【産業上の利用可能性】
【００２２】
以上のように、陸上に設けた水槽の底に珊瑚質その他の小石及び／又は砂を敷き、この小石及び／又は砂が水没するように海水を供給し、前記小石及び／又は砂にヒメジャコが支持されるようにして陸上養殖する方法や水槽を合成樹脂製とするか及び／又は内面に合成樹脂の塗料を塗布するか及び／又はフィルムやシートで覆って非透水性とすると共に海水を供給し、ヒメジャコの外敵は水槽内に入れない陸上養殖法だと、成長したヒメジャコの収穫が極めて簡単で品質低下も来さない。しかも、ヒメジャコが外敵を恐れる必要も無くストレスは溜まらないし、貝を開けっ放しにして太陽光をフルに受けて効率的に成長できる。
【符号の説明】
【００２３】
１、２  水槽
３  コンクリートブロック
４  ベニア板
５  珊瑚質その他の小石
Ｗ  海水
Ｐ  パイプ
６  水槽内のヒメジャコ
７  網
８  汚水集め
９  穴中のヒメジャコ
ｉ  タガネ
10  岩
11  ヘラ